(57)【要約】【課題】目標治療部位へのステントの運搬中に人工血管を通した運搬力を等化する役割をするステント運搬システムを提供する。【解決手段】運搬システムは、内部にルーメンを有するカテーテルと、カテーテルから運搬するため、１つもしくは複数のステントまたはステント移植片を取り付ける内部コアと、１つもしくは複数のステントまたはステント移植片および内部コアをカバーする外側シースとを備える。内部コアはさらに、セグメントと係合する、または、各々ステント、複数ステントまたはステント移植片内または間の空隙を埋める、一連の外向きフレア部材を備える。内部コアの外向きフレア部材は、１つもしくは複数のステントまたはステント移植片のセグメントを、その運搬を行うとき、および、外側シースの除去を行って１つもしくは複数のステントまたはステント移植片を配置するとき、互いに対して間隔をあけた関係に維持するよう補助する。【選択図】図１
2007190377.tif 000002
【特許請求の範囲】
【請求項１】
拡張可能なステントと共に使用するステント運搬システムにおいて、
内部を通って延びるルーメンを有するカテーテルと、
内部コアであって、前記内部コアにクリンプされ、前記内部コアから運搬される、単一ステント、または、１つもしくは多数の隣接ステントまたはステント移植片、を有する内部コアと、
前記内部部材から延び、運搬中の、単一ステント、または、１つもしくは多数の隣接ステントまたはステント移植片の部分、のセグメントと係合する、一連の外向きフレア部材と、
単一ステント、または、１つもしくは多数のステントまたはステント移植片と前記内部コアとにかぶせる外側シースと、
を備える、ステント運搬システム。
【請求項２】
請求項１に記載のステント運搬システムにおいて、
前記外向きフレア部材は、前記内部コアと一体に成形されている、ステント運搬システム。
【請求項３】
請求項１に記載のステント運搬システムにおいて、
各外向きフレア部材は、大径遠位部分と小径近位部分とをさらに備えるように、近位から遠位に漸増するようにテーパしており、
前記小径近位部分は、前記内部コアに概ね一体に融合している、
ステント運搬システム。
【請求項４】
請求項１に記載のステント運搬システムにおいて、
前記セグメント、隣接ステント、または隣接ステント移植片の、一連の外向きフレア部材による係合により、運搬力の配分がより均一になされ、目標治療部位への運搬中の前記ステント、複数ステント、あるいはステント移植片の間隔を維持する、ステント運搬システム。
【請求項５】
請求項１に記載のステント運搬システムにおいて、
前記外向きフレア部材は、軸方向スリット、および前記スリットにより形成された折り畳みフィンガー、をさらに備える、ステント運搬システム。
【請求項６】
請求項５に記載のステント運搬システムにおいて、
前記軸方向スリットは、前記外向きフレア部材の遠位端から前記内部コアに向けて、前記コアを越えずに延びている、ステント運搬システム。
【請求項７】
請求項５に記載のステント運搬システムにおいて、
前記内部コアは、前記折り畳みフィンガーを折り畳める、凹部領域をさらに備え、１つもしくは多数のステントまたはステント移植片の運搬時の形状を小さくすることができる、ステント運搬システム。
【請求項８】
カテーテルベース運搬システムを経て１つもしくは複数のステントまたはステント移植片を運搬する方法において、
前記カテーテルベース運搬システムの内部コアに、クリンプされた状態で１つもしくは複数の拡張可能ステントまたはステント移植片を取り付けることと、
前記内部コアの外向きフレア部材を、１つもしくは複数のステントまたはステント移植片の部分に係合して、前記１つもしくは複数のステントを、目標治療部位への運搬中に所望の空間方位に維持することと、
前記１つもしくは複数のステントまたはステント移植片の周りに外側シースを配置することと、
前記運搬システムを前記目標治療部位に挿入することと、
前記外向きフレア部材と前記１つもしくは複数のステントまたはステント移植片の前記部分との係合により、運搬中の前記１つもしくは複数のステントまたはステント移植片にわたって運搬力を分布させることと、
前記外側シースを引き抜き、前記１つもしくは複数のステントの拡張状態を再開し、それにより、前記外向きフレア部材を前記１つもしくは複数のステントまたはステント移植片から外すことと、
前記内部コアを引き抜くことと、
を含む、方法。
【発明の詳細な説明】
【開示の内容】
【０００１】
〔技術分野〕
本発明はステント運搬システムに関し、特に１つないし複数のステントないしステント移植片の留置を、目的治療部位へのその運搬中のより優れた分布の運搬力により改善する、ステント運搬システムに関する。
【０００２】
〔背景技術〕
バルーン拡張ステントや自己拡張型ステントは、一般に圧縮された小径の円筒形で運搬され、カテーテルベースの運搬システムを使用して血管内に配置される。典型的には、鼠径部の大腿動脈にアクセスしてステント移植片を例えば腹大動脈などの腹部の目的位置に運搬している。誘導ワイヤを大腿動脈のアクセス地点から血管を通して動脈の疾患部分を越えた地点まで通す。
【０００３】
内部にステントないしステント移植片を担持した運搬システムは、誘導ワイヤにより血管を通して血管の疾患領域を超えた位置まで操作される。典型的にはX線透視検査（X線造影）を使用して、運搬システムおよびステントまたはステント移植片を目標治療部位まで誘導している。ステントないしステント移植片が所望の位置に配置されれば、運搬システムの外側シースを徐々に引き抜き、ステントないしステント移植片が拡張し、それ自身で血管内部に係止されるようにする。一部のステントやステント移植片は、血管内で拡張するためバルーンを膨らませる必要がある。その他のステント移植片には、運搬システムのシースから引き抜くと拡張する自己拡張型材料からなる。ステントの終端ないし他の位置のフックやバーブ（barb）を使用してステントを血管壁に係止することができる。
【０００４】
典型的にステントないしステント移植片の運搬には、運搬カテーテルから留置中にステントないしステント移植片の近位端と係合する押し棒その他の部材が必要となる。シースを引き抜いたときにステントないしステント移植片の近位端と係合すると、ステントないしステント移植片の近位端を定位置に維持できるが、そのような係合はステントないしステント移植片の遠位部分または隣接ステントないしステント移植片に互いに座屈を生じさせることがある。
【０００５】
隣接セグメントやステントまたはステント移植片の上述の座屈を克服するため、一部の運搬システムは、ステントないしステント移植片の最も遠位のセグメントに係止する解除ワイヤを組み込んでいる。外側シースが引き抜かれるか押し棒がステントないしステント移植片の近位端と係合しても、解除ワイヤはこのようにセグメント、ステントまたはステント移植片を互いに関して適切に整列して維持する。留置後、解除ワイヤをカテーテルを通して別個に引き抜く。解除ワイヤによりステントやステント移植片の適切な配置ができるが、そのような解除ワイヤの形状は、ステントやステント移植片を目的治療部位に運搬するのに必要な工程が増え、そのように解除ワイヤとそれに関連した構成部品を含めたことで、運搬カテーテルフレンチサイズの減少を制限することがある。さらに、解除ワイヤ運搬システムは高価で製造がより複雑になりがちである。
【０００６】
上記の観点から、ステントやステント移植片の目的治療部位までの運搬を単純にし、運搬システムのコストや製造の複雑性を最小限にしつつも、ステントやステント移植片の運搬中にステントやステント移植片全体に運搬力をより優れて配分する装置や方法に対するニーズが存在する。
【０００７】
〔発明の概要〕
本発明は、１つないし複数の拡張可能なステントまたはステント移植片で使用するステントないしステント移植片運搬システムから構成される。１つまたは複数の拡張可能なステントないしステント移植片は、単一ステントあるいはステント移植片のそのようなセグメント間に空隙を有する一連の隣接セグメントで構成してもよく、あるいはそのような隣接ステントあるいはステント移植片の間に空隙を有する１つまたは複数の隣接ステントないしステント移植片で構成してもよい。いずれにしろ、運搬システムは、内部を通るルーメンを有するカテーテルと、1つあるいは多数のステントないしステント移植片がカテーテルからの運搬のため取り付けられる内部コアと、単一ステントまたは１つないし多数のステントまたはステント移植片と内部コアにかぶせる外側シースを備える。ここで従来のステント運搬システムは、運搬するステントの近位端と係合する独立した押し棒を備えるが、本明細書で説明する運搬システムの内部コアは、内部コアから外側シースに向けて外向きに広がる一連の部材を備えてセグメントと係合する、あるいはステント、複数ステントあるいはステント移植片内あるいは間の空隙を充填する。内部コアの外向きフレア部材はこのように、ステントのセグメントあるいは１つないし複数のステントまたはステント移植片を、カテーテルによるその運搬を通して互いに対する間隔関係を維持する役に立ち、外側シースの除去は、１つまたは複数のステントまたはステント移植片を目標治療部位に配置するために除去する。外向きフレア部材はこのように、カテーテルから運搬されている１つないし複数のステントまたはステント移植片の全体を通してより均等な運搬力を分布する役に立つ。
【０００８】
一部の実施例では、外向きフレア部材は内部コアと一体に成形され、各外向きフレア部材の小径の近位部分は最終的に内部コアに融合するが、各外向きフレア部材の大径の遠位部分は広がって単一のステントのセグメントと係合するか、夫々の空隙を充たすか係合して、運搬中に１つないし複数のステントあるいはステント移植片の一部と係合するように、近位から遠位に漸増するようテーパしている。理想的には、外向きフレア部材の大径遠位部分は各隣接ステントないしステント移植片の近位部分と係合して、１つないし複数のステントまたはステント移植片に対する運搬力の分布を最大化する。他の実施例では、フレアのセグメント部材を軸方向にスリットを入れ、折り畳みフィンガーを構成し、その端部は、運搬中に１つないし複数のステントまたはステント移植片のそれぞれのセグメント、空隙や部分と係合する。どちらの場合も、好適には生体適合性の平滑な材料で内部コアと外向きフレア部材を構成する。一連のフレア部材の各々連続したフレア部材は同様の形にする。この構成により内部部材に十分な円柱的な強度がもたらされ、１つないし複数のステントまたはステント移植片のその運搬中の互いの間隔関係を維持でき、より複雑な解除ワイヤあるいはその他の器具や段階の必要性なしにカテーテルを通して目的治療部位まで１つないし複数のステントまたはステント移植片の運搬を行なうことができる。この構成はさらに、１つないし複数のステントまたはステント移植片がその拡張状態となり、外向きフレア部材の大径フレア部材部分が１つないし複数のステントまたはステント移植片からはずれた後、外向きフレア部材の小径の近位部分が患者からの内部コアの引き抜きを行なった結果、１つないし複数のステントまたはステント移植片の留置後に内部コアを用意に除去可能にする。
【０００９】
構造や部品の組み合わせの様々な新規の詳細を含む本発明の上記ならびに他の機能を、添付の図面と特許請求の範囲を参照しつつ、詳細に説明する。本明細書で記載する説明の様々な例示的な実施例は、例示目的でのみ示したもので、その限定として示したものでないことは理解されよう。本発明の範囲を逸脱せずに、本発明の原理や機能を様々な別の実施例でも使用できる。
【００１０】
〔発明の詳細な説明〕
図１は、目標治療部位に運搬する１つないし複数のステント２０を有する従来の例示的なカテーテルベースのステント運搬システム１０を示す。図１に示すように、従来のカテーテルベースのステント運搬システム１０は、内部を通るルーメン１２と、内部部材１３と、外側シース１４、および押し棒１５とを有するカテーテル１１を備えている。ハブ３０を設けると、オペレータがハンドルを挿入したり引き抜いたりする際の役に立つ。外側シース１４を引き抜いてステント２０を望むように配置したとき、ステント２０を所定位置に留置するため押し棒１５を矢印(a)の方向に移動するか、押し棒１５を矢印（a）の方向に移動して1つないし複数のステント２０を所望の留置位置に押す。いずれの場合も、１つないし複数のステント２０の近位端に対して押し棒１５を使用すると、ステント２０を座屈するか、さもなければ１つないし複数のステント２０内あるいは間の間隔に変化をもたらす傾向がある。間隔が変化すると、目標治療部位に関して１つないし複数のステント２０の望ましくない配置が生じることがある。さらに、１つないし複数のステント２０内で座屈が生じると、そのような座屈により患者の血管系を損傷するリスクがあり、典型的には１つないし複数のステント２０の再留置が必要となる。座屈があると、患者を損傷するリスクを減らすため、および目標治療部位での１つないし複数のステントの効力を増大するため、損傷した、ないし座屈したステント２０を取り替えるため、新しいステントを使用することが必要になる。
【００１１】
図２は、本発明のカテーテルベースのステント運搬システム１００の一実施例を示す。図２に示すようにステント運搬システム１００は、内部を通るルーメン１２０と、内部コア１３０と、外側シース１５０とを備えている。内部コア１３０はさらに、内部コア１３０を通る中央ルーメン１３１と、ルーメン１３１を通してカテーテルカテーテル１１０を望みどおりに配置するための誘導ワイヤ１６０とを備えている。内部コア１３０はさらに、内部コア１３０から外向きに広がる一連の外向きフレア部材１３５を備えている。外向きフレア部材１３５は例えば図３，７に示すように、内部コア１３０と一体とでき、あるいは例えば図６Ａと６Ｂに示すように、外向きフレア部材１３５０を一連の折り畳みフィンガー１３５１として内部コア１３００と一体にできる。
【００１２】
図２を再度参照すると、ハブ３００を設けてオペレータがステント運搬システム１００を挿入したり引き抜いたりする際に役立てることができる。ステント運搬システム１００を運搬する内部コア１３０（図３）に１つないし複数のステントまたはステント２００を取り付ける。一連の外向きフレア部材１３５の各外向きフレア部材１３５は、大径の遠位部分と小径の近位部分を備えている。ここで、遠位とは治療オペレータから最も遠い位置を指し示し、近位とは治療オペレータから最も近い位置を指し示すものとする。各外向きフレア部材１３５の小径の近位部分は、全般に内部コア１３０に融合し、各外向きフレア部材１３５の大径の遠位部分は、セグメントまたは最終的に運搬される内部コア１３０上に取り付けられた１つないし複数のステントまたはステント移植片の一部と係合する。
【００１３】
図３は、本発明の、例えば図２のステント運搬システム１００の内部コア１３０に取り付けた、クリンプ状態の単一のステント２００を示す。内部コア１３０の外向きフレア部材１３５の大径遠位部分はステント２００内の空隙を通して突出し、ステント２００の軸方向に隣接したセグメントと係合する。外向きフレア部材１３５は、例えば図６Ａ、６Ｂに示すように、外向きフレア部材からの折り畳みフィンガー１３５１を備えるため軸方向のスリットを含むことができる。ここで外向きフレア部材は外向きフレア部材１３５０として識別される。図６Ａ、６Ｂをさらに参照すると、折り畳みフィンガー１３５１を有する外向きフレア部材１３５０により、一部の折り畳みフィンガー１３５１がステント２０００内の空隙を通して突出し、折り畳みフィンガー１３５１の他の部分がステントの堅い部分と同様にステント２０００との係合をするのを制限される間、ステント２０００のセグメントと係合する。外向きフレア部材１３５またはフレア部材１３５０の折り畳みフィンガー１３５１による、ステント２００またはステント２０００の軸方向に隣接したセグメントとのこのような形での係合により、ステントの運搬が行なわれるとステントおよびそのセグメントの空間方位を維持できる。
【００１４】
特に、図３を再度参照すると、上述のようにステント２００を内部コア１３０に取り付けた後、ステント２００の運搬が、内部コア１３０の矢印(a)の方向の移動により行なわれ、その後、ステント２００が目標治療部位に到達すると、外側シース１４０が矢印（ｂ）の方向に引き抜かれる。矢印（ｂ）方向への移動により外側シース１４０を引き抜いた後、拡張可能なステント２００は血管内で再び拡張状態になり、それによりステント２００は夫々の外向きフレア部材１３５の大径部分から外れる。その後、ステント２００を血管内の目標治療部位に留置したまま、内部コア１３０を矢印（ｂ）方向の移動により引き抜く。
【００１５】
単一のステント２００の取り付けと運搬を上記で説明したが、技術者は、一連の一つまたは複数のステントまたはステント移植片を代わりに、または追加的に、ステント運搬システム１００から運搬用の内部コア１３０に取り付けできることをすぐに理解しよう。複式ステント２００は同一サイズと長さ、あるいは、医師の裁量における異なる生理学的なニーズに合わせるために異なるサイズと長さとすることができる。内部コア１３０上の外向きフレア部材１３５の間の間隔は、複式ステントの異なるサイズや長さに合わせて変えることができ、あるいは外向きフレア部材１３５間で１つの間隔構成を備えた内部コア１３０を、様々な長さあるいは大きさのステントで交換可能に使用できる。いずれにしても複式ステント２００をステント運搬システム１００からの運搬するため取り付ける場合、内部コア１３０の外向きフレア部材１３５は理想的にステント２００の近位端と係合するが、空隙を通したステント２００の他の部分の係合を使用することもできる。この形での複式ステント２００の係合により、その運搬が行なわれるときのステント２００の空間方位を維持しつつ、ステント２００間で運搬力をより均一に配分できる。図４は、上述の内部コア１３０上に取り付けた、クリンプ状態の複式ステント２００例を示す。技術者は容易に理解するように、1つのステント２００に関して上述したように複式ステント２００の運搬が行なわれる。
【００１６】
図５は、ステントが、それと関係したステント材料２０１を有するステント移植片２００である場合を示す。１つないし複数のステント２００を、説明したステント運搬システム１００を経て展開する場合、先に述べた実施例のようにステント２００を内部コア１３０に取り付ける。外向きフレア部材１３５を内部コア１３０上にクリンプすると、カテーテルベース・ステント運搬システム１００からの運搬のため、ステント２００の一部と外向きフレア部材１３５が係合する、ステント移植片の空隙に存在するステント２０１を押しのける。理想的には、前のように、外向きフレア部材１３５が1本ないしより多くのステント２００の近位端と係合し、ステント２００の空間配置の維持を助け、ステント移植片が目標治療部位に運搬されたとき、ステント２００を通して運搬力をより均等に配分できる。実際には、ここで説明した内部コア１３０と一連の外向きフレア部材１３５を有するカテーテルベース運搬システムを使用して１つないし複数のステント２００を運搬することは上述の通りであり、当業者は容易に理解するであろう。このように単一のステント移植片または複数のステント移植片は、上述の単一ステントまたは複数ステントの運搬と同じようにして運搬できる。
【００１７】
好適には、内部コア１３０は、それと一体に形成された外向きフレア部材１３５を有する堅い管状部品である。内部コア１３０と外向きフレア部材１３５は例えばピーバックス（Pebax）生体適合性の平滑な材料から構成される。もちろん、当業者は、例えばピーバックスの代わりにあるいは追加で、他の周知のあるいは後に開発された生体適合性の平滑な材料により、内部コア１３０や外向きフレア部材１３５を構成できることを理解しよう。そのような他の材料としては、例えば生体適合性プラスチック、ポリマー、その混合物がある。１つあるいは複数のステントやステント移植片あるいはそのセグメントへの内部コア１３０あるいは外向きフレア部材１３５の埋め込みは、本明細書で記載した運搬システムや手法では必要ないので、内部コア１３０や外向きフレア部材１３５を構成するのに圧縮可能な材料は要求されない。
【００１８】
固い内部コア１３０に関して上述したが、図６Ａと６Ｂは、本明細書で説明した運搬システムで使用できる内部コア１３００の別の実施態様を示す。特に図６Ａは、外向きフレア部材１３５０をその一部に沿って有する内部コア１３００を示す。図６Ａでは１つの外向きフレア部材しか示していないが、当業者には、内部コア１３００は一連の同様に構成された外向きフレア部材１３５０を含むことができることを理解しよう。例えば図６Ｂは１つないし複数のステントないしステント２０００の一部と係合した折り畳みフィンガー１３５１を有する、一連の外向きフレア部材１３５０で構成された内部コア１３００を断面図で示している。外向きフレア部材１３５０はさらに、外向きフレア部材に設けた外向きフレア部材１３５２により形成された折り畳みフィンガー１３５１を備えている。外向きフレア部材１３５２は一般に、外向きフレア部材の遠位端から内部コア１３００の外面まで伸びている。このようにして、折り畳みフィンガー１３５１は様々なステントあるいはステント移植片の設計と係合でき、それにより一部の折り畳みフィンガー１３５１はステントないしステント２０００の空隙を通して突出し、そのセグメントと係合して運搬するが、折り畳みフィンガー１３５１の他のものは、ステントまたはステント移植片の固い部分により同様にしてステントないしステント２０００のセグメントと係合するのが制限される。折り畳みフィンガー１３５１はこのように、内部コア１３００上に取り付けられた一つまたは複数のステントないしステント２０００から内向きに折り曲がり、上述のように運搬中に経験する運搬力を削減する。折り畳みフィンガー１３５１の屈曲性により、内部コア１３００は、運搬中あるいは内部コア１３００へのそのクリンプ中に、１つないし複数のステントないしステント移植片の内径で見られる凹凸により容易に適合できる。図６Ａ、６Ｂに示すように、折り畳みフィンガー１３５１はさらに１つないし複数のステントまたはステント２０００の運搬中に内部コア１３００に形成された凹部外向きフレア部材１３５３に内向きに折れ曲がり、それにより運搬中のその形状を最小化する役に立つ。
【００１９】
ここで説明した本発明の様々な例示的な実施例は、本発明のシステムや方法の異なる実施例を制限するものではない。ここで説明した材料は、例示目的で参照した材料、設計あるいは形状に限定されず、当業者に理解されるように、ここで説明したシステムや方法に適した様々な材料、設計、形状で構成できる。
【００２０】
本発明の好適な実施例と考えられるものを示して説明したが、もちろん、本発明の趣旨や範囲を超えずに、形態や詳細の様々な改変や変更を容易に行なうことができることは理解されよう。したがって、本発明は、本明細書で説明し例示したそのままの形態に限定されないことを意図しており、添付の特許請求項の範囲に入る全ての変更をカバーしていると見なされるべきである。
【００２１】
〔実施の態様〕
（１）拡張可能なステントと共に使用するステント運搬システムにおいて、
内部を通って延びるルーメンを有するカテーテルと、
内部コアであって、前記内部コアにクリンプされ、前記内部コアから運搬される、単一ステント、または、１つもしくは多数の隣接ステントまたはステント移植片、を有する内部コアと、
前記内部部材から延び、運搬中の、単一ステント、または、１つもしくは多数の隣接ステントまたはステント移植片の部分、のセグメントと係合する、一連の外向きフレア部材と、
単一ステント、または、１つもしくは多数のステントまたはステント移植片と前記内部コアとにかぶせる外側シースと、
を備える、ステント運搬システム。
（２）実施態様１に記載のステント運搬システムにおいて、
前記外向きフレア部材は、前記内部コアと一体に成形されている、ステント運搬システム。
（３）実施態様１に記載のステント運搬システムにおいて、
各外向きフレア部材は、大径遠位部分と小径近位部分とをさらに備えるように、近位から遠位に漸増するようにテーパしており、
前記小径近位部分は、前記内部コアに概ね一体に融合している、
ステント運搬システム。
（４）実施態様１に記載のステント運搬システムにおいて、
前記セグメント、隣接ステント、または隣接ステント移植片の、一連の外向きフレア部材による係合により、運搬力の配分がより均一になされ、目標治療部位への運搬中の前記ステント、複数ステント、あるいはステント移植片の間隔を維持する、ステント運搬システム。
（５）実施態様１に記載のステント運搬システムにおいて、
前記外向きフレア部材は、軸方向スリット、および前記スリットにより形成された折り畳みフィンガー、をさらに備える、ステント運搬システム。
（６）実施態様５に記載のステント運搬システムにおいて、
前記軸方向スリットは、前記外向きフレア部材の遠位端から前記内部コアに向けて、前記コアを越えずに延びている、ステント運搬システム。
（７）実施態様５に記載のステント運搬システムにおいて、
前記内部コアは、前記折り畳みフィンガーを折り畳める、凹部領域をさらに備え、１つもしくは多数のステントまたはステント移植片の運搬時の形状を小さくすることができる、ステント運搬システム。
【００２２】
（８）カテーテルベース運搬システムを経て１つもしくは複数のステントまたはステント移植片を運搬する方法において、
前記カテーテルベース運搬システムの内部コアに、クリンプされた状態で１つもしくは複数の拡張可能ステントまたはステント移植片を取り付けることと、
前記内部コアの外向きフレア部材を、１つもしくは複数のステントまたはステント移植片の部分に係合して、前記１つもしくは複数のステントを、目標治療部位への運搬中に所望の空間方位に維持することと、
前記１つもしくは複数のステントまたはステント移植片の周りに外側シースを配置することと、
前記運搬システムを前記目標治療部位に挿入することと、
前記外向きフレア部材と前記１つもしくは複数のステントまたはステント移植片の前記部分との係合により、運搬中の前記１つもしくは複数のステントまたはステント移植片にわたって運搬力を分布させることと、
前記外側シースを引き抜き、前記１つもしくは複数のステントの拡張状態を再開し、それにより、前記外向きフレア部材を前記１つもしくは複数のステントまたはステント移植片から外すことと、
前記内部コアを引き抜くことと、
を含む、方法。
（９）実施態様８に記載の方法において、
さらに、遠位端からカテーテルベース運搬システムの内部コアに向けて、前記外向きフレア部材の部分に軸方向にスリットを入れることを含む、方法。
（１０）実施態様９に記載の方法において、
さらに、前記軸方向スリットにより前記外向きフレア部材から折り畳みフィンガーを形成することを含む、方法。
（１１）実施態様１０に記載の方法において、
前記外向きフレア部材を係合することは、１つもしくは複数のステントまたはステント移植片の堅い部分により他の折り畳みフィンガーを制限しつつ、前記折り畳みフィンガーの一部を前記１つもしくは複数のステントまたはステント移植片内の空隙に貫通することで前記折り畳みフィンガーの一部を前記１つもしくは複数のステントまたはステント移植片と係合することを含む、方法。
（１２）実施態様１１に記載の方法において、
さらに、前記折り畳みフィンガーを前記内部コアの凹部に畳み込み、前記１つもしくは複数のステントまたはステント移植片の運搬時の形状を最小化することを含む、方法。
【図面の簡単な説明】
【００２３】
【図１】従来の例示的なカテーテルベースのステント運搬システムを示す。
【図２】本発明のカテーテルベース・ステント運搬システムの一実施例を示す。
【図３】本発明の、図２の運搬システムの内部コアに取り付けた単一ステントを示す。
【図４】本発明の、図２の運搬システムの内部コアに取り付けた複数ステントを示す。
【図５】本発明の、図２の運搬システムの内部コアに取り付けたステント移植片を示す。
【図６Ａ】本発明の内部コアの別の実施例を示す。
【図６Ｂ】本発明の内部コアの別の実施例を示す。
【図７】本明細書に記載した本発明の様々な実施例による、内部コアと一体的に成形された外向きフレア部材の一例を示す。
【図１】
2007190377.tif 000003
【図２】
2007190377.tif 000004
【図３】
2007190377.tif 000005
【図４】
2007190377.tif 000006
【図５】
2007190377.tif 000007
【図６Ａ】
2007190377.tif 000008
【図６Ｂ】
2007190377.tif 000009
【図７】
2007190377.tif 000010
【外国語明細書】
2007190377000001.pdf